(57)【要約】【課題】  頭髪が加齢により減少するのは自然な傾向ではあるが、個人差が大きいだけでなく、若年性の薄毛もかなり多いのが現状で、程度の差はあるとしても薄毛に悩む人の数は男女を問わず人口の高齢化も影響して増加する一方である。  【解決手段】  人間の左右側頭部の頭皮に沿って接触する長方形の2枚のパッド板を傾斜パイル生地で覆い、そのパッドを正面から見た間隔と、頭頂部から見た角度をそれぞれ調整できるような構造で頭頂部で連結し、さらに、頭頂部にアーチ状連結部と頭皮との間隔をスプリングの反発を利用して調整するバネ構造を設け、このバネの力を利用して左右側頭部の頭皮を上方に持ち上げることで頭頂部の頭皮を弛緩させ、減少していた血流の増加を促すものである。  この装着体を一般的な帽子の中に組み込んで製造し、外見上の違和感を払拭した形状の増毛キャップとする。【選択図】  図４
2011132613.tif 000002
【特許請求の範囲】
【請求項１】
人の左右側頭部に沿ってヘッドホンのように両側から挟むように装着する２枚の長方形のパッドを、頭頂部から見た間隔と角度を調節することができるよう頭頂部を跨いでアーチ状に連結し、頭頂部付近に頭部とアーチ部分との間隔をスプリングによる反発を利用して調整する機能を設けた頭部装着体。
【請求項２】
請求項1の頭部装着体について、使用時の外見上の違和感を解消するため、装着体全体に一般的な帽子状の形状の覆いを設け、これら全体を一体的に着脱できるように構成された増毛キャップ。
【発明の詳細な説明】
【技術分野】
【０００１】
本発明は、加齢等の原因による毛髪の減少を防止、改善するものである。
【背景技術】
【０００２】
頭髪が減少して薄毛になっていくことについて、従来の発毛・育毛対策は、主に薬品等の効力に期待したものが中心となっているが  、薄毛の人が未だに多数存在していることは紛れもない事実であり、多くの人に有効な薄毛防止対策は見つかっていない状況にある。
【先行技術文献】
【非特許文献】
【０００３】
【非特許文献１】Dr．浅井の発毛促進システムインターネット上のPDFファイルのアドレス「http://www.asai-clinic.co.jp/pdf/hatumou.pdf」
【非特許文献２】毛髪が減少する原因等に関する学説等が記載されいてるホームページアドレス  http://www.kamiga.com/r-16.html
【発明の概要】
【発明が解決しようとする課題】
【０００４】
増毛や育毛用の市販薬剤は比較的高額な上、長期間使用する必要があるため、総額としても利用者に大きな金銭的負担が強いられる状況にあった。
【０００５】
毛髪の減少が部分限定的でその面積も少ない時期は、医薬品等での改善も期待できるが、次第に加齢等の原因により毛髪の減少に歯止めがかからなくなり、やがては薄毛の状態に進むのが一般的であった。
【０００６】
かつらや皮膚に貼り付ける擬毛などの方法では価格が高額な上、さらに維持管理などにおける負担も大きく、日常的に継続使用することには大きな困難があるのが実情である。
【０００７】
頭髪が加齢により減少するのは自然な傾向ではあるが、個人差が大きいだけでなく、若年性の薄毛もかなり多いのが現状で、程度の差はあるとしても薄毛に悩む人の数は男女を問わず高齢化社会に向けて増加する一方である。
【０００８】
これまでの薄毛対策としては、医薬品等の使用に頼るのが一般的であるが、使用を始めた当初はそれなりに効果が認められるものの、毛髪の減少傾向そのものを停止、改善するわけではないことなどから、徐々に効果が低下していくのが避けられなかった。
【０００９】
かつらや植毛などは外見上は劇的に改善できるものの、非常に高価な上に見栄えが良い製品ほど維持管理に費用と手間を要するものが多く、根本的な解決にはなっていない。
【課題を解決するための手段】
【００１０】
ヘッドホンに似た形状で、人の両側頭部の頭皮に沿うよう作られた2枚の長方形パッドに、この2枚のパッドの間隔と角度を頭頂部で調節することができるようアーチ状に連結することにより、２枚のパッドによって側頭部の両側に加える圧力を調節できるようにし、さらに、その一定の圧力で両側頭部を挟んだ状態で左右のパッドを含めた装着体全体を上方へ持ち上げるように力を加えることが可能なように、頭部とアーチ状連結構造部との間隔を頭頂部付近でスプリングによる反発を利用して調整可能な装置を設けることにより、2枚のパッドで両側頭部の頭皮を上へ向けて持ち上げるように作用させることが可能となり、これによって頭頂部付近の頭皮が弛緩して頭頂部への血流が改善し、低下していた毛髪への栄養補給を大きく改善させることが可能となる。
【００１１】
増毛等の効果を期待するためには、本件頭部装着体を日常的に一定時間以上使用するのが効果的であるが、本件装着体を帽子状に加工一体化することで、着用時の外見上の違和感を払拭して外出時等も含めた日常的使用が可能となる。
【発明の効果】
【００１２】
人間は他のほ乳類と比較して格段に脳が発達しているが、そのため、大きな脳を収容する頭蓋骨を覆う頭皮は必然的に一定の張力を受けることになり、中でも頭頂部は側頭部や後頭部の皮膚の重量までが負担増となって最も大きな張力を受ける部分となっている。
【００１３】
前後左右の皮膚の重量を受ける頭頂部分は、引っ張り張力を受けて加齢とともに皮膚の厚みが減少して固くなり、それに伴って頭頂部分を流れる血流量も減少することとなるが、その結果として、血液による毛髪への栄養補給も徐々に低下することが避けられず、やがては毛髪の成長鈍化や脱毛から薄毛へとつながる結果を招いている。
【００１４】
本件増毛キャップは、頭頂部の血流改善を医薬品等に頼るのではなく、物理的に直接側頭部の頭皮に力を加えることによって頭頂部の頭皮を弛緩させ、血流を改善・回復させることで毛髪への栄養補給を大きく改善して毛髪の減少を防止し、増毛を実現するものである。
【００１５】
本件増毛キャップは、一旦入手すれば長期に渡り使用可能であることから、費用対効果は各種在来手法に比較して群を抜いており、これまでの大きな経済的負担からは一挙に解放される。
【図面の簡単な説明】
【００１６】
【図１】アーチ状装着体の全体のイメージ
【図２】アーチ状装着体の各部の名称と動作方向。
【図３】アーチ状装着体の各部の名称と動作方向の説明
【図４】アーチ状装着体各部の名称及び基本的作用と効果
【図５】アーチ状装着体を帽子状に一体加工した増毛キャップ  透視図
【図６】アーチ状装着体を着用した側面図
【図７】アーチ状装着体を帽子状に一体加工した増毛キャップ  側面透視図
【図８】増毛キャップ概観図
【発明を実施するための形態】
【００１７】
本件増毛キャップは、側頭部を両側から挟むように装着する2枚の長方形パッドと、その間隔と角度を頭頂部を経由するアーチ状接続体で調整することで、両側頭部の頭皮に一定の圧力を与え、さらに、アーチ状接続体の頭頂部付近に、接続体と頭部との間隔をスプリングの反発力を利用して調整する装置を設けることで、両側の２枚の長方形パッドを持ち上げるように作用させることが可能となり、両側頭部から頭頂部へ向けた力を発生させることで所期の性能を発揮するものである。
【００１８】
左右の側頭部に接触する長方形パッドは、頭部との接触面に洋服ブラシ等に用いられている傾斜パイル織り生地を使用することで、側頭部の頭皮を上方に向ける摩擦力を確保し、側頭部への軽い圧力でも接触部分を頭頂部へ引き上げる力を有効に発揮させることが可能となる。
【００１９】
基本的な構造部分は、上部から見た形状は「H型」状で、音楽用ヘッドホンと似た外見であるが、この状態での外出等は非常に違和感があるので、頭部装着体全体を帽子と一体的に組み合わせて増毛キャップとすることで、自宅室内だけでなく外出時等にも着用可能となり、それによって日常的に着用できる時間が確保され、育毛、増毛効果をより短い期間で発揮させることが可能となる。
【実施例１】
【００２０】
図６は、アーチ状装着体だけを着用した状況の横顔を示したものである。
【実施例２】
【００２１】
図８は、図６に加えて帽子状に一体加工された増毛キャップの着用状況想定図である。
【産業上の利用可能性】
【００２２】
本件増毛キャップは、第一義的には主に頭頂部の薄毛の解消が目的であるが、加齢とともに顔の目尻や頬が下がるという美容上の問題に対しても、近辺の皮膚を上方に持ち上げる手法が経験上顔面容貌を改善するということが知られており、外見上の若々しさを顔を含めて頭部全体で実現することで、気分的・精神的にも大きな自信となり、楽しく豊かな社会生活を実現することまで期待できるものである。
【図１】
2011132613.tif 000003
【図２】
2011132613.tif 000004
【図３】
2011132613.tif 000005
【図４】
2011132613.tif 000006
【図５】
2011132613.tif 000007
【図６】
2011132613.tif 000008
【図７】
2011132613.tif 000009
【図８】
2011132613.tif 000010